(57)【要約】  複数のフォーマットで製作されたビデオデータを記録した情報記録媒体とその記録媒体の再生装置及び再生方法が開示される。本発明によるビデオデータを記録可能な情報記録媒体は、前記ビデオが５０Ｈｚビデオであるか、６０Ｈｚビデオであるかを区別する情報が記録されたビデオソースフォーマットタイプ情報を含み、１つの情報記録媒体に複数のフォーマットのビデオデータが記録されている場合、これらビデオデータは、いずれも６０Ｈｚビデオであるか、またはいずれも５０Ｈｚビデオであることを特徴とする。
2007518297.tif 000002
【特許請求の範囲】
【請求項１】
ビデオデータを記録した情報記録媒体において、
前記ビデオデータが５０Ｈｚビデオであるか、６０Ｈｚビデオであるかを区別する情報が記録されたビデオソースフォーマットタイプ情報を含み、
１つの情報記録媒体に複数のフォーマットのビデオデータが記録されている場合に、これらビデオデータは６０Ｈｚビデオデータまたは５０Ｈｚビデオデータを含むことを特徴とする情報記録媒体。
【請求項２】
前記複数のフォーマットのビデオデータは、６０Ｈｚビデオデータ及び２４Ｈｚビデオデータを含むか、５０Ｈｚビデオデータ及び２４Ｈｚビデオデータを含むことを特徴とする請求項１に記載の情報記録媒体。
【請求項３】
前記６０Ｈｚビデオデータは、６０Ｈｚ  ＳＤ級ビデオデータ及び／または６０Ｈｚ  ＨＤ級ビデオデータであり、前記５０Ｈｚビデオデータは、５０Ｈｚ  ＳＤ級ビデオデータ及び／または５０Ｈｚ  ＨＤ級ビデオであることを特徴とする請求項１に記載の情報記録媒体。
【請求項４】
前記ビデオソースフォーマットタイプ情報は、
前記ビデオデータの映像サイズ、フレームレートまたはフィールドレート、フレームのタイプ情報を含むことを特徴とする請求項１に記載の情報記録媒体。
【請求項５】
前記ビデオ映像サイズは、ＳＤ級映像またはＨＤ級映像に区分されることを特徴とする請求項４に記載の情報記録媒体。
【請求項６】
前記フレームレートまたはフィールドレートは、６０Ｈｚ、５０Ｈｚまたは２４Ｈｚに区分されることを特徴とする請求項４に記載の情報記録媒体。
【請求項７】
前記フレームタイプ情報は、インターレースビデオまたはプログレシブビデオに区分されることを特徴とする請求項４に記載の情報記録媒体。
【請求項８】
情報記録媒体からビデオデータを再生する装置において、
前記情報記録媒体に記録されたビデオデータを読出すリーダと、
前記読出したビデオデータをデコーディングするデコーダと、
前記デコーディングされたビデオデータに含まれたビデオソースフォーマットタイプ情報によって前記デコーディングされたビデオデータのフォーマットを５０Ｈｚビデオデータまたは６０Ｈｚビデオデータに変換して出力するフォーマット変換部とを備えることを特徴とする再生装置。
【請求項９】
前記フォーマット変換部は、
前記ビデオソースフォーマット情報によって、前記情報記録媒体に複数のフォーマットのビデオデータが記録されている場合に、これをいずれも６０Ｈｚビデオデータにするか、いずれも５０Ｈｚビデオデータにして出力することを特徴とする請求項８に記載の再生装置。
【請求項１０】
前記フォーマット変換部は、
前記情報記録媒体に２４Ｈｚビデオデータがさらに含まれている場合に、これを６０Ｈｚビデオデータまたは５０Ｈｚビデオデータに変換して出力することを特徴とする請求項８に記載の再生装置。
【請求項１１】
前記記録されたビデオデータのフレームタイプがディスプレイにより支援されるフレームタイプと類似した場合、前記ビデオデータは、前記フォーマット変換部をバイパスして前記ディスプレイに伝えられ、
前記記録されたビデオデータのフレームタイプが前記ディスプレイにより支援されるフレームタイプと同一でない場合、前記フォーマット変換部は、該当ビデオデータをインターレース映像からプログレシブ映像に変換するか、プログレシブ映像からインターレース映像に変換した後、前記変換結果を前記ディスプレイに伝達することを特徴とする請求項８に記載の再生装置。
【請求項１２】
前記フォーマット変換部は、
ＨＤ級映像をＳＤ級映像に変換するか、ＳＤ級映像をＨＤ級映像に変換する映像サイズ変換部と、
インターレース映像をプログレシブ映像に変換するか、プログレシブ映像をインターレース映像に変換するタイプ変換部と備えることを特徴とする請求項８に記載の再生装置。
【請求項１３】
前記情報記録媒体は、
前記情報記録媒体に同じフォーマットを有するビデオデータが保存されていても、異なるフォーマットを有するビデオデータが保存されていても、１つのビデオソースフォーマットタイプ情報を有することを特徴とする請求項８に記載の再生装置。
【請求項１４】
前記ビデオソースフォーマットタイプ情報は、前記情報記録媒体が前記装置にロードされる時、前記情報記録媒体から読出されることを特徴とする請求項１３に記載の再生装置。
【請求項１５】
前記ビデオソースフォーマットタイプ情報（ｖｉｄｅｏ＿ｓｏｕｒｃｅ＿ｆｏｒｍａｔ＿ｔｙｐｅ）は、次の式：
ｖｉｄｅｏ＿ｓｏｕｒｃｅ＿ｆｏｒｍａｔ＿ｔｙｐｅ＝Ａ｜｜Ｂ｜｜Ｃ｜｜Ｄ｜｜Ｅ、ここで、
Ａ（６０Ｈｚ  ＳＤ）：７２０ｘ４８０ｉ−２９．９７、７２０ｘ４８０ｐ−５９．９４
Ｂ（６０Ｈｚ  ＨＤ）：１９２０ｘ１０８０ｉ−２９．９７、１２８０ｘ７２０ｐ−５９．９４
Ｃ（５０Ｈｚ  ＳＤ）：７２０ｘ５７６ｉ−２５、７２０ｘ５７６ｐ−５０
Ｄ（５０Ｈｚ  ＨＤ）：１９２０ｘ１０８０ｉ−２５、１２８０ｘ７２０ｐ−５０
Ｅ（２４Ｈｚ  ＨＤ）：１９２０ｘ１０８０ｐ−２３．９７６、１９２０ｘ１０８０ｐ−２４、１２８０ｘ７２０ｐ−２３．９７６．１２８０ｘ７２０ｐ−２４により表現されることを特徴とする請求項１４に記載の再生装置。
【請求項１６】
前記ビデオソースフォーマットタイプ情報は、Ａ、ＢまたはＥ；ＣまたはＤ；またはＣ、ＤまたはＥに設定されることを特徴とする請求項１５に記載の再生装置。
【請求項１７】
情報記録媒体からデータを再生する方法において、
情報記録媒体からビデオデータを読出す段階と、
前記読出されたデータをデコーディングする段階と、
前記デコーディングされたビデオデータに含まれたビデオソースフォーマットタイプ情報によって前記デコーディングされたビデオデータを５０Ｈｚビデオデータまたは６０Ｈｚビデオデータに変換する段階とを含むことを特徴とする再生方法。
【請求項１８】
前記変換段階は、
ＨＤ級映像をＳＤ級映像に変換するか、ＳＤ級映像をＨＤ級映像に変換する段階と、
インターレース映像をプログレシブ映像に変換するか、プログレシブ映像をインターレース映像に変換する段階とを含むことを特徴とする請求項１７に記載の再生方法。
【請求項１９】
マイクロプロセッサーに情報記録媒体からデータを再生する方法を実行することを指示するようにエンコーディングされたコンピュータ可読記録媒体において、
前記方法は、
情報記録媒体からビデオデータを読出す段階と、
前記読出されたデータをデコーディングする段階と、
前記デコーディングされたビデオデータに含まれたビデオソースフォーマットタイプ情報によって前記デコーディングされたビデオデータを５０Ｈｚビデオデータまたは６０Ｈｚビデオデータに変換する段階とを含むことを特徴とする記録媒体。
【請求項２０】
情報記録媒体からデータを再生する装置において、
前記情報記録媒体からビデオソースフォーマットタイプ情報を含むビデオデータを読出すリーダと、
前記ビデオソースフォーマットタイプ情報が識別されるように前記読出されたデータをデコーディングするデコーダと、
前記デコーディングされたビデオデータに含まれたビデオソースフォーマットタイプ情報によって前記デコーディングされたビデオデータを第１または第２周波数を有するビデオデータに変換するフォーマット変換部とを含むことを特徴とする再生装置。
【請求項２１】
前記情報記録媒体に記録されたビデオデータは、異なるフォーマットを有する多重ビデオデータを含むことを特徴とする請求項２０に記載の再生装置。
【請求項２２】
前記ビデオデータが多重ビデオデータを含む場合、前記フォーマット変換部は、各多重ビデオデータに含まれたビデオソースフォーマットタイプ情報によってあらゆる多重ビデオデータを前記第１または第２周波数を有するビデオデータに変換することを特徴とする請求項２１に記載の再生装置。
【請求項２３】
前記情報記録媒体に記録されたビデオデータは第３周波数を有するビデオデータを含むことを特徴とする請求項２０に記載の再生装置。
【請求項２４】
前記情報記録媒体に記録されたビデオデータが前記第３周波数を有するビデオデータを含む場合、前記フォーマット変換部は、前記第３周波数を有するビデオデータを前記第１または第２周波数を有するビデオデータに変換することを特徴とする請求項２３に記載の再生装置。
【請求項２５】
前記ビデオデータをディスプレイするためのディスプレイをさらに含み、
前記保存されたビデオデータのフレームタイプが前記ディスプレイにより支援されるものと類似していることを特徴とする請求項２０に記載の再生装置。
【請求項２６】
前記保存されたビデオデータのフレームタイプが前記ディスプレイにより支援されるものと類似した場合、前記ビデオデータは、前記フォーマット変換部をバイパスして前記ディスプレイに伝えられることを特徴とする請求項２５に記載の再生装置。
【請求項２７】
前記保存されたビデオデータのフレームタイプが前記ディスプレイにより支援されるものと類似していない場合、前記フォーマット変換部は、該当ビデオデータをインターレース映像からプログレシブ映像に、またはプログレシブ映像からインターレース映像に変換した後、変換結果を前記ディスプレイに伝達することを特徴とする請求項２５に記載の再生装置。
【請求項２８】
前記フォーマット変換部は、
ＨＤ級映像をＳＤ級映像に変換するか、ＳＤ級映像をＨＤ級映像に変換する映像サイズ変換部と、
インターレース映像をプログレシブ映像に変換するか、プログレシブ映像をインターレース映像に変換するタイプ変換部とを備えることを特徴とする請求項２０に記載の再生装置。
【請求項２９】
前記情報記録媒体は、前記情報記録媒体に同じフォーマットを有するビデオデータが保存されているか、異なるフォーマットを有するビデオデータが保存されているかに関係なく、１つのビデオソースフォーマットタイプ情報を有することを特徴とする請求項２０に記載の再生装置。
【請求項３０】
前記ビデオソースフォーマットタイプ情報は、前記情報記録媒体が前記装置にロードされる時、前記情報記録媒体から読出されることを特徴とする請求項２９に記載の再生装置。
【請求項３１】
前記ビデオソースフォーマットタイプ情報（ｖｉｄｅｏ＿ｓｏｕｒｃｅ＿ｆｏｒｍａｔ＿ｔｙｐｅ）は、次の式：
ｖｉｄｅｏ＿ｓｏｕｒｃｅ＿ｆｏｒｍａｔ＿ｔｙｐｅ＝Ａ｜｜Ｂ｜｜Ｃ｜｜Ｄ｜｜Ｅ、ここで、
Ａ（６０Ｈｚ  ＳＤ）：７２０ｘ４８０ｉ−２９．９７、７２０ｘ４８０ｐ−５９．９４
Ｂ（６０Ｈｚ  ＨＤ）：１９２０ｘ１０８０ｉ−２９．９７、１２８０ｘ７２０ｐ−５９．９４
Ｃ（５０Ｈｚ  ＳＤ）：７２０ｘ５７６ｉ−２５、７２０ｘ５７６ｐ−５０
Ｄ（５０Ｈｚ  ＨＤ）：１９２０ｘ１０８０ｉ−２５、１２８０ｘ７２０ｐ−５０
Ｅ（２４Ｈｚ  ＨＤ）：１９２０ｘ１０８０ｐ−２３．９７６、１９２０ｘ１０８０ｐ−２４、１２８０ｘ７２０ｐ−２３．９７６．１２８０ｘ７２０ｐ−２４により表現されることを特徴とする請求項３０に記載の再生装置。
【請求項３２】
前記ビデオソースフォーマットタイプ情報は、Ａ、ＢまたはＥ；ＣまたはＤ；またはＣ、ＤまたはＥに設定されることを特徴とする請求項３１に記載の再生装置。
【請求項３３】
前記デコーディングされたビデオデータの変換は、映像サイズ変換動作、フレームレート変換動作、及びプログレシブからインターレースへの変換動作またはインターレースからプログレシブへの変換動作のうち、少なくとも１つを含むことを特徴とする請求項２０に記載の再生装置。
【請求項３４】
フィルターをさらに含み、
前記映像サイズ変換動作で前記ビデオデータは、フィルターを通じて劣化無しに大きさが変換することを特徴とする請求項３３に記載の再生装置。
【請求項３５】
前記レート変換動作で、前記ビデオデータの一部が反復して挿入されることを特徴とする請求項３４に記載の再生装置。
【請求項３６】
前記ビデオデータが、前記ディスプレイが支援する映像サイズと異なる映像サイズを有する場合、前記ビデオデータは、前記ディスプレイと互換されるようにサイズが変換されることを特徴とする請求項２５に記載の再生装置。
【請求項３７】
前記ビデオデータがＨＤ級ビデオデータであるが、前記ディスプレイがＨＤ級ビデオデータを処理できない場合、前記ビデオデータがＳＤ級ビデオデータに変換されることを特徴とする請求項２５に記載の再生装置。
【請求項３８】
前記ビデオデータがＳＤ級ビデオデータであるが、前記ディスプレイがＳＤ級ビデオデータを処理できない場合、前記ビデオデータがＨＤ級ビデオデータに変換されることを特徴とする請求項２５に記載の再生装置。
【請求項３９】
前記ビデオデータがプログレシブビデオデータであるが、前記ディスプレイがプログレシブビデオデータを処理できない場合、前記ビデオデータがインターレースビデオデータに変換されることを特徴とする請求項２５に記載の再生装置。
【請求項４０】
前記ビデオデータがインターレースビデオデータであるが、前記ディスプレイがインターレースビデオデータを処理できない場合、前記ビデオデータがプログレシブビデオデータに変換されることを特徴とする請求項２５に記載の再生装置。
【発明の詳細な説明】
【技術分野】
【０００１】
本発明は、ビデオデータを記録した情報記録媒体に係り、さらに詳細には、複数のフォーマットで製作されたビデオデータを記録した情報記録媒体とその記録媒体の再生装置に関する。
【背景技術】
【０００２】
映画などの動映像データを保存する情報記録媒体は、再生装置により読出された後、再生されてディスプレイ装置に出力される。通常、ディスプレイ装置は、５０Ｈｚ系と６０Ｈｚ系とに区分され、動映像データフォーマットは、映像の大きさ及びフレームレートによっていろいろな形に区分され、動映像データをデコーディングして出力する時、５０Ｈｚ系のディスプレイ装置と６０Ｈｚ系のディスプレイ装置とに出力するためにビデオデータフォーマットを変換する方法が各々異なる。
【０００３】
したがって、情報記録媒体に記録されたいろいろなフォーマットのビデオデータをデコーディングしてディスプレイ装置に出力するには、ビデオフォーマットに関する情報が情報記録媒体に記録されていなければならず、再生装置は、この情報を用いてディスプレイ装置によって異なるフォーマットに変換して出力できねばならない。
【発明の開示】
【発明が解決しようとする課題】
【０００４】
したがって、本発明が解決しようとする技術的課題は、いろいろなフォーマットで作られたビデオデータを記録した情報記録媒体、その情報記録媒体の再生装置を提供することである。
【課題を解決するための手段】
【０００５】
前記技術的課題は、本発明によって、ビデオデータを記録した情報記録媒体において、前記ビデオが５０Ｈｚビデオであるか、６０Ｈｚビデオであるかを区別する情報が記録されたビデオソースフォーマットタイプ情報を含み、１つの情報記録媒体に複数のフォーマットのビデオデータが記録されている場合に、これらビデオデータは、いずれも６０Ｈｚビデオであるか、またはいずれも５０Ｈｚビデオであることを特徴とする情報記録媒体により達成される。
【０００６】
前記１つの情報記録媒体に複数のフォーマットのビデオデータが記録されている場合に、６０Ｈｚビデオまたは５０Ｈｚビデオに加えて２４Ｈｚビデオがさらに記録されていることが望ましい。
【０００７】
前記ビデオソースフォーマットタイプ情報は、前記ビデオの映像サイズ、フレームレートまたはフィールドレート、フレームのタイプ情報を含むことが望ましい。
【０００８】
一方、本発明の他の分野によれば、前記技術的課題は、情報記録媒体に記録されたビデオデータを読出すリーダと、前記読出したビデオデータをデコーディングするデコーダと、前記デコーディングされたビデオデータに含まれたビデオデータフォーマット情報によって前記デコーディングされたビデオのフォーマットを５０Ｈｚビデオまたは６０Ｈｚビデオに変換して出力するフォーマット変換部と、を備えることを特徴とする再生装置によっても達成される。
【０００９】
前記フォーマット変換部は、前記ビデオデータフォーマット情報によって、１つの情報記録媒体に複数のフォーマットのビデオデータが記録されている場合に、これをいずれも６０Ｈｚビデオにするか、いずれも５０Ｈｚビデオにして出力することが望ましい。
【００１０】
また、前記フォーマット変換部は、ディスプレイ装置によってインターレース映像をプログレシブ映像に変換してプログレシブ映像をバイパスさせるか、インターレース映像をバイパスさせるか、プログレシブ映像をバイパスまたはインターレース映像に変換することが望ましい。
【００１１】
本発明のさらに他の分野によれば、前記技術的課題は、情報記録媒体からビデオデータを読出す段階と、前記読出されたデータをデコーディングする段階と、前記デコーディングされたビデオデータに含まれたビデオソースフォーマットタイプ情報によって前記デコーディングされたビデオデータを５０Ｈｚビデオデータまたは６０Ｈｚビデオデータに変換する段階と、を含むことを特徴とする再生方法によっても達成される。
【００１２】
本発明のさらに他の分野によれば、前記技術的課題は、情報記録媒体からビデオデータを読出す段階と、前記読出されたデータをデコーディングする段階と、前記デコーディングされたビデオデータに含まれたビデオソースフォーマットタイプ情報によって前記デコーディングされたビデオデータを５０Ｈｚビデオデータまたは６０Ｈｚビデオデータに変換する段階と、を含むことを特徴とする再生方法を、マイクロプロセッサーに実行することを指示するようにエンコーディングされたコンピュータ可読記録媒体によっても達成される。
【発明の効果】
【００１３】
本発明によれば、複数のフォーマットで作られたビデオデータが保存された情報記録媒体をディスプレイ装置によってそれに合うフォーマットに変換して再生しうる。
【発明を実施するための最良の形態】
【００１４】
以下、添付された図面を参照して本発明の望ましい実施形態について詳細に説明する。
【００１５】
図１は、フレームレートがｎであるプログレシブビデオデータフォーマットを示す図である。
【００１６】
ビデオデータフォーマットは、映像の横縦のサイズによってＳｔａｎｄａｒｄ  Ｄｅｆｉｎｉｔｉｏｎ（ＳＤ）級ビデオとＨｉｇｈ  Ｄｅｆｉｎｉｔｉｏｎ（ＨＤ）級ビデオとに区分される。一般的に、ＳＤ級ビデオは、横ｘ縦のサイズが７２０ｘ４８０または７２０ｘ５７６であるビデオを言い、ＨＤ級ビデオは、１９２０ｘ１０８０及び１２８０ｘ７２０であるビデオを言う。
【００１７】
また、ビデオを構成する一枚一枚の静止映像をフレームと称し、ビデオは、このフレーム単位で区分されて符号化される。そして、ビデオが秒当たり何枚のフレームで構成されているかを示すパラメータがフレームレートである。また１つのフレームがプログレシブ形式で作られているか、インターレース形式で作られているかによって、プログレシブビデオ、インターレースビデオに分けられる。図１のプログレシブビデオを参照するに、１つのフレーム内にはｅｖｅｎフィールドとｏｄｄフィールドとがいずれも含まれていることが分かる。
【００１８】
図２は、フレームレートがｎ、フィールドレートが２ｎであるインターレースビデオフォーマットを示す図である。
【００１９】
１つのフレームで奇数ラインのみを集めたのをｏｄｄフィールド、偶数ラインのみを集めたのをｅｖｅｎフィールドという。したがって、インターレースビデオは、フィールドレートというパラメータも有することができ、１枚のフレーム当り２つのフィールドが存在するので、フィールドレートはフレームレートの二倍となる。
【００２０】
本発明では、ビデオフォーマットを表示する時（横画素数）ｘ（縦画素数）（ｉまたはｐ）−（フレームレート）という表現を使用する。この際、ｉまたはｐは、各々インターレースであるか、プログレシブであるかを示し、インターレースである場合、フィールドレートは、フレームレートの二倍となる。
【００２１】
そして、フレームレートまたはフィールドレートを表記する時、（フレームレートまたはフィールドレート）（ＩまたはＰ）という表現を使用することもある。例えば、６０Ｉは、６０フィールドレートを有するインターレースフォーマットのビデオを示し、６０Ｐは、６０フレームレートを有するプログレシブフォーマットのビデオを示す。
【００２２】
図３は、本発明の一実施形態によって情報記録媒体に保存されるビデオデータフォーマットを示す図である。
【００２３】
ビデオデータフォーマットは、大きく６０Ｈｚ系のＳＤ級及びＨＤ級ビデオデータと５０Ｈｚ系のＳＤ級及びＨＤ級ビデオデータフォーマット、そして２４Ｈｚ系のＨＤ級ビデオデータフォーマットに分けられる。この際、６０Ｈｚ系とは、フレームレートまたはフィールドレートが３０または６０であるということを意味する。正確には、２９．９７及び５９．９４であるが、通常３０及び６０であると称する。そして、５０Ｈｚ系とは、フレームレートまたはフィールドレートが２５または５０であるということを言う。同様に、２４Ｈｚ系は、フレームレートが２３．９７６または２４であるということを意味する。
【００２４】
図３を参照して情報記録媒体３１０に記録されたビデオデータフォーマットを説明すれば、望ましい例として、６０Ｈｚ系のＳＤ級ビデオデータフォーマットは、７２０ｘ４８０ｉ−２９．９７及び７２０ｘ４８０ｐ−５９．９４、ＨＤ級ビデオデータフォーマットは、１９２０ｘ１０８０ｉ−２９．９７及び１２８０ｘ７２０ｐ−５９．９４があると仮定する。そして、５０Ｈｚ系のＳＤ級ビデオデータフォーマットは、７２０ｘ５７６ｉ−２５及び７２０ｘ５７６ｐ−５０、ＨＤ級ビデオデータフォーマットは、１９２０ｘ１０８０ｉ−２５及び１２８０ｘ７２０ｐ−５０があると仮定する。また、２４Ｈｚ系のＨＤ級ビデオデータフォーマットは、１９２０ｘ１０８０ｐ−２３．９７６、１９２０ｘ１０８０ｐ−２４、１２８０ｘ７２０ｐ−２３．９７６及び１２８０ｘ７２０ｐ−２４があると仮定する。
【００２５】
このようなビデオデータは、再生装置３２０を経てディスプレイ装置３３０に出力される。このディスプレイ装置３３０は、６０Ｈｚ系と５０Ｈｚ系とに区分される。６０Ｈｚ系は、６０Ｈｚフィールド構成を有するインターレースフォーマットや６０Ｈｚフレーム構成を有するプログレシブフォーマットの入力信号を受けて出力する装置を意味するものであって、米国、韓国、日本などのＮＴＳＣアナログ放送規格を使用する地域で使われるディスプレイ装置である。
【００２６】
５０Ｈｚ系は、５０Ｈｚフィールド構成を有するインターレースフォーマットや５０Ｈｚフレーム構成を有するプログレシブフォーマットの入力信号を受けて出力する装置を意味するものであって、ヨーロッパなどのＰＡＬアナログ放送規格を使用する地域で使われるディスプレイ装置である。もちろん、ディスプレイ装置３３０も、入力されたビデオ信号の画面サイズによってＳＤ級ディスプレイ装置またはＨＤ級ディスプレイ装置に区分される。
【００２７】
再生装置３２０は、ビデオデータをデコーディングし、ディスプレイ装置３３０がディスプレイされうるフォーマットに変換して出力する。すなわち、ビデオデータフォーマットとディスプレイ装置３３０の入力フォーマットとが異なる場合には、再生装置３２０は、ビデオデータフォーマット変換を行わねばならない。この変換には、映像の横ｘ縦のサイズを変換するＳＤ級からＨＤ級への変換、またはその反対の画面サイズ変換があり、フレームまたはフィールドレートを変換するレート変換がある。
【００２８】
画面サイズ変換は、画面の劣化を起こさないようにフィルターなどを使用して行われ、レート変換は、ビデオデータの一部を反復して挿入するなどの方法により行われる。レート変換は、図５Ａないし図６を参照して後述する。
【００２９】
本発明は、このように映像サイズがＳＤ級及びＨＤ級、フィールドまたはフレームレートが５０／６０／２４Ｈｚなどのように複数のビデオデータフォーマットで作られたビデオデータを記録した情報記録媒体においてビデオデータフォーマットを区分し、１つの情報記録媒体には、特定のフォーマットのビデオデータのみを保存することを許容し、再生装置３２０は、それぞれのフォーマットのビデオをディスプレイ装置３３０でディスプレイできるようにフォーマット変換を行って出力する。
【００３０】
言い換えれば、６０Ｈｚ系の情報記録媒体は、６０Ｈｚ系のディスプレイ装置に出力されうるデータのみを保存する。６０Ｈｚ系のディスプレイ装置は、６０Ｉのみを処理するものがあり、６０Ｉと６０Ｐとをいずれも処理するものがある。またＳＤ級ビデオのみを処理する装置があり、ＳＤ級及びＨＤ級ビデオをいずれも処理する装置がある。このようなディスプレイ装置でディスプレイするビデオデータを記録した情報記録媒体６０Ｈｚ  ＳＤ級ビデオデータと６０Ｈｚ  ＨＤ級ビデオデータ、そして２４Ｈｚ  ＨＤ級ビデオデータのみを保存する。
【００３１】
図４は、６０Ｈｚ系のビデオデータを６０Ｈｚディスプレイ装置から出力するためにフォーマットを変換することを説明する図である。
【００３２】
すなわち、映像サイズ及びデータフォーマットを変換する。情報記録媒体に保存されたビデオデータの映像サイズ及びディスプレイ装置が支援するビデオ入力映像のサイズが異なる場合は、ＳＤ−＞ＨＤまたはＨＤ−＞ＳＤ変換を行う。言い換えれば、ＳＤ級映像をディスプレイしうる装置でＨＤ級映像をディスプレイするためには、ＨＤ−＞ＳＤ変換を行わねばならず、ＨＤ級映像をディスプレイしうる装置でＳＤ級映像をディスプレイするためには、ＳＤ−＞ＨＤ変換を行わねばならない。
【００３３】
そして、フレームレート変換は、６０Ｈｚビデオデータの場合は、Ｐ−＞ＩまたはＩ−＞Ｐ変換を行って６０Ｉまたは６０Ｐ映像を作る。すなわち、ディスプレイ装置が６０Ｉのみを処理しうる装置である場合には、インターレース映像はそのまま通過させ（バイパス）、プログレシブ映像は、インターレース映像に変換する。もし、ディスプレイ装置が６０Ｉ及び６０Ｐをいずれも処理しうる装置である場合には、プログレシブ映像はそのまま通過させ（バイパス）、インターレース映像は、プログレシブ映像に変換する。インターレース映像もディスプレイすることはできるが、プログレシブ映像が解像度にさらに優れるためにプログレシブ映像に変換する。但し、１９２０ｘ１０８０ｉ映像をプログレシブ映像に変換すれば、データ量があまりにも多くて、処理が難しいために変換せず、そのまま通過させる（バイパス）。
【００３４】
さらに詳細に説明すれば、第１に、ディスプレイ装置がＳＤ級映像であり、かつ６０Ｉの映像を処理する装置である場合には、７２０ｘ４８０ｉ−２９．９７映像はそのまま通過させ、７２０ｘ４８０ｐ−５９．９４映像は、インターレース映像に変換する。そして、１９２０ｘ１０８０ｉ−２９．９７映像は、ＳＤ級映像に画面サイズを変換してそのまま通過させ、１２８０ｘ７２０ｐ−５９．９４映像は、ＳＤ級映像に画面サイズを変換すると共に、インターレース映像に変換する。
【００３５】
第２に、ディスプレイ装置がＨＤ級映像であり、かつ６０Ｉの映像を処理する装置である場合には、７２０ｘ４８０ｉ−２９．９７映像はＨＤ級映像に画面サイズを変換してそのまま通過させ、７２０ｘ４８０ｐ−５９．９４映像は、ＨＤ級映像に画面サイズを変換すると共に、インターレース映像に変換する。そして、１９２０ｘ１０８０ｉ−２９．９７映像は、そのまま通過させ、１２８０ｘ７２０ｐ−５９．９４映像はインターレース映像に変換する。
【００３６】
第３に、ディスプレイ装置がＳＤ級映像であり、かつ６０Ｉ及び６０Ｐの映像をいずれも処理する装置である場合には、７２０ｘ４８０ｉ−２９．９７映像はプログレシブ映像に変換し、７２０ｘ４８０ｐ−５９．９４映像はそのまま通過させる。そして、１９２０ｘ１０８０ｉ−２９．９７映像はＳＤ級映像に画面サイズを変換すると共に、プログレシブ映像に変換し、１２８０ｘ７２０ｐ−５９．９４映像は、ＳＤ級映像に画面サイズを変換して出力する。
【００３７】
最後に、もし、ディスプレイ装置がＨＤ級映像であり、かつ６０Ｉ及び６０Ｐの映像をいずれも処理する装置である場合には、７２０ｘ４８０ｉ−２９．９７映像は、ＨＤ級映像に画面サイズを変換すると共に、プログレシブ映像に変換し、７２０ｘ４８０ｐ−５９．９４映像は、ＨＤ級映像に画面サイズを変換して出力する。そして、１９２０ｘ１０８０ｉ−２９．９７映像及び１２８０ｘ７２０ｐ−５９．９４映像は、そのまま通過させる。これは、１９２０ｘ１０８０ｉ−２９．９７映像が、プログレシブ映像に変換する場合、データ量が過度に多くなるからである。
【００３８】
２４Ｈｚ映像を３：２プルダウン過程を経て６０Ｉ映像または６０Ｐ映像に変換する過程は図６を参照して後述する。
【００３９】
図５Ａは、プログレシブビデオをインターレースビデオに変換する一例を説明する図である。図５Ａを参照するに、プログレシブビデオをインターレースビデオに変換するために各フレームでｅｖｅｎフィールドまたはｏｄｄフィールドのみを抽出して別々にフィールドを構成することが分かる。
【００４０】
図５Ｂは、インターレースビデオをプログレシブビデオに変換する一例を説明する図である。図５Ｂを参照するに、インターレースビデオデータをプログレシブビデオに変換するためにｅｖｅｎフィールドとｏｄｄフィールドとを合わせて１つのフレームを作る過程を反復することが分かる。フレームレートを合わせるためにｅｖｅｎフィールドとｏｄｄフィールドは、各々２回ずつ使われる。
【００４１】
図６は、３：２プルダウン過程を説明する図である。図６を参照するに、１つのフレームが３枚または２枚のフィールドを作るのに使われるために２４枚のフレームが６０フィールドからなることが分かる。この過程を３：２プルダウンというが、この過程を経て６０Ｉまたは６０Ｐ映像に変換される。すなわち、３：２プルダウンは、プログレシブ２フレームでインターレース５フィールドを作り出すものであって、この過程を経れば、２４フレームが６０フィールドとなる。
【００４２】
前述したようにフレームレートまたはフィールドレートを変換する色々な方法があるが、本発明の再生装置は前記方法に限定されず、他の方法を使用してビデオフォーマットを変更することもできる。
【００４３】
図７は、５０Ｈｚ系のビデオデータを５０Ｈｚディスプレイ装置から出力するためにビデオデータフォーマットを変換することを説明する図である。
【００４４】
５０Ｈｚ系の情報記録媒体は、５０Ｈｚ系のディスプレイ装置に出力されうるデータのみを保存する。５０Ｈｚ系のディスプレイ装置には、５０Ｉのみを処理する装置があり、５０Ｉと５０Ｐとをいずれも処理する装置がある。またＳＤ級ビデオデータのみを処理する装置があり、ＳＤ級ビデオ及びＨＤ級ビデオをいずれも処理する装置がある。このようなディスプレイ装置でディスプレイするビデオデータを記録した情報記録媒体は５０Ｈｚ  ＳＤ級ビデオデータと５０Ｈｚ  ＨＤ級ビデオデータのみを保存する。２４Ｈｚ  ＨＤ級ビデオデータは、共に記録しても、記録しなくても良い。
【００４５】
図７を参照するに、それぞれのフォーマットのデータがどのように変換されるかが分かる。すなわち、ビデオの画面サイズを合わせる変換が行われる。情報記録媒体に保存されたビデオのサイズとディスプレイ装置が支援するビデオ入力映像のサイズとが異なる場合は、ＳＤ−＞ＨＤあるいはＨＤ−＞ＳＤ変換を行う。
【００４６】
フレームレート変換は、５０Ｈｚビデオデータデータの場合は、Ｐ−＞ＩあるいはＩ−＞Ｐ変換を行って５０Ｉあるいは５０Ｐ映像を作る。このようなフォーマットの変換過程は、前述した６０Ｈｚのデータを処理することと類似している。すなわち、前述した６０Ｉ映像または６０Ｉ／６０Ｐ映像を変換するに当って、６０Ｈｚの代わりに５０Ｈｚになるということを除いて、他の変換過程は同一である。
【００４７】
２４Ｈｚビデオデータも共に保存される場合に、これを変換することは次のように２種の方法がある。１つは、２４フレームデータを秒当たり２５フレームに出力することである。この場合は、元の決まった再生時間より実際の再生時間が２５／２４倍に速くなる。ビデオが速く再生されれば、オーディオもそれに合わせて速く再生せねばならない。ところが、オーディオを速く再生すれば、音域が高音に上がって、これを再び正常化するための処理が必要である。他の１つの方法は、２４フレーム単位で１つのフレームを反復して作り出す方法である。この場合にも、不自然な切れ目が肉眼で確認できるが、これを防止するために反復して挿入するフレームの位置をランダムに決めて挿入する。
【００４８】
図８は、ｖｉｄｅｏ＿ｓｏｕｒｃｅ＿ｆｏｒｍａｔ＿ｔｙｐｅ情報を含むデータ構造を示す図である。１つの情報記録媒体には、図８に示したような情報が一個のみ記録されている。すなわち、色々なフォーマットに作られたビデオデータが１つの情報記録媒体に記録されていても、これらビデオデータのフォーマットをいずれも合わせて、図８に示したｖｉｄｅｏ＿ｓｏｕｒｃｅ＿ｆｏｒｍａｔ＿ｔｙｐｅで表現する。したがって、複数種のビデオデータが１つの情報記録媒体に存在する時、これらデータは、画面サイズが異なるとしても、フレームレートまたはフィールドレートは、いずれも６０Ｈｚであるか、またはいずれも５０Ｈｚである。そして、これに加えて、２４Ｈｚビデオも含まれうる。その値をｖｉｄｅｏ＿ｓｏｕｒｃｅ＿ｆｏｒｍａｔ＿ｔｙｐｅで表現する。この情報は、最初のロード時に読出されて、再生装置は、情報記録媒体に保存されたビデオデータのフォーマットが分かる。
【００４９】
言い換えれば、ｖｉｄｅｏ＿ｓｏｕｒｃｅ＿ｆｏｒｍａｔ＿ｔｙｐｅ情報は、６０Ｈｚ用の情報記録媒体と５０Ｈｚ用の情報記録媒体を区別するのに使用する。また、この情報は、情報記録媒体にＳＤ級ビデオデータが保存されているか、ＨＤ級ビデオデータが保存されているかも示し得る。６０Ｈｚ用のＧ情報記録媒体には、６０Ｈｚフィールドまたはフレームレートを有するビデオデータが保存され、追加的に２４Ｈｚのフレームレートを有するビデオデータが保存されうる。
【００５０】
５０Ｈｚ用の情報記録媒体には、５０Ｈｚフィールドまたはフレームレートを有するビデオデータが保存され、追加的に２４Ｈｚのフレームレートを有するビデオデータが保存されうる。
【００５１】
前記記録媒体を再生する再生装置は、６０Ｈｚ用の再生装置と５０Ｈｚ用の再生装置とに区分され、６０Ｈｚ用の再生装置は、６０Ｈｚ用のディスプレイ装置に信号を出力し、５０Ｈｚ用の再生装置は、５０Ｈｚ用のディスプレイ装置に信号を出力する。６０Ｈｚ用の再生装置は、６０Ｈｚ用の記録媒体を読出してデコーディングしてバイパスさせるか、インターレース−＞プログレシブ変換をするか、逆にプログレシブ−＞インターレース変換をして６０Ｈｚ用のディスプレイ装置に合わせて信号を出力する。２４Ｈｚフレームレートを有するデータが記録された場合には、３：２プルダウン変換を通じて出力する。
【００５２】
５０Ｈｚ用の再生装置は、５０Ｈｚ用の記録媒体を読出してデコーディングしてバイパスさせるか、インターレース−＞プログレシブ変換をするか、逆にプログレシブ−＞インターレース変換をして５０Ｈｚ用のディスプレイ装置に合わせて信号を出力する。２４Ｈｚフレームレートを有するデータの場合は、２５／２４倍速で出力するか、２４枚単位でフレーム一枚を繰り返す方式に変換して出力する。
【００５３】
図８を参照するに、ｖｉｄｅｏ＿ｓｏｕｒｃｅ＿ｆｏｒｍａｔ＿ｔｙｐｅは次のような情報が記録されうる。
【００５４】
ｖｉｄｅｏ＿ｓｏｕｒｃｅ＿ｆｏｒｍａｔ＿ｔｙｐｅ＝Ａ｜｜Ｂ｜｜Ｃ｜｜Ｄ｜｜Ｅ
Ａ（６０Ｈｚ  ＳＤ）：７２０ｘ４８０ｉ−２９．９７、７２０ｘ４８０ｐ−５９．９４
Ｂ（６０Ｈｚ  ＨＤ）：１９２０ｘ１０８０ｉ−２９．９７、１２８０ｘ７２０ｐ−５９．９４
Ｃ（５０Ｈｚ  ＳＤ）：７２０ｘ５７６ｉ−２５、７２０ｘ５７６ｐ−５０
Ｄ（５０Ｈｚ  ＨＤ）：１９２０ｘ１０８０ｉ−２５、１２８０ｘ７２０ｐ−５０
Ｅ（２４Ｈｚ  ＨＤ）：１９２０ｘ１０８０ｐ−２３．９７６、１９２０ｘ１０８０ｐ−２４、１２８０ｘ７２０ｐ−２３．９７６．１２８０ｘ７２０ｐ−２４
但し、ｖｉｄｅｏ＿ｓｏｕｒｃｅ＿ｆｏｒｍａｔ＿ｔｙｐｅでＡ、ＢはＣ、Ｄと同時に有効な値を有することができない。すなわち、１つの情報記録媒体で有することができるｖｉｄｅｏ＿ｓｏｕｒｃｅ＿ｆｏｒｍａｔ＿ｔｙｐｅ値は、Ａ、Ｂ、Ｅのうち１値、またはＣ、Ｄの１値、またはＣ、Ｄ、Ｅのうち１値を有することができる。このようにｖｉｄｅｏ＿ｓｏｕｒｃｅ＿ｆｏｒｍａｔ＿ｔｙｐｅは、色々なフォーマットのビデオデータを６０Ｈｚ用のビデオデータ及び５０Ｈｚ用のビデオデータの２種に区分するのに使用する。また、この情報を利用して情報記録媒体に保存されたビデオデータをディスプレイ装置に合わせて再生するのに使われる。そして、記録媒体に含むビデオデータの大きさについての情報も含む。
【００５５】
図９は、本発明の再生装置のブロック図である。
【００５６】
本発明の再生装置は、リーダ９１０、メモリ９２０、デコーダ９３０及びフォーマット変換部９４０を具備する。ディスプレイ装置は、前述したように６０Ｈｚディスプレイ装置または５０Ｈｚディスプレイ装置になりうる。リーダ９１０は、情報記録媒体に保存されたビデオデータを読出してメモリ９２０に保存する。デコーダ９３０は、メモリ９２０に保存されたビデオデータをデコーディングする。そして、フォーマット変換部９４０は、デコーディングされたビデオデータをディスプレイ装置のフォーマットに合わせて変換する。フォーマットを変換することは、前述したようである。また、フォーマット変換部９４０は、映像サイズ変換部９４２とタイプ変換部９４４とを具備する。映像サイズ変換部９４２は、ＳＤ級ビデオをＨＤ級ビデオに変換するか、ＨＤ級ビデオをＳＤ級ビデオに変換する。タイプ変換部９４４は、インターレース映像をプログレシブ映像に変換するか、プログレシブ映像をインターレース映像に変換する。
【００５７】
一方、前述した多様なフォーマットに記録された情報記録媒体の再生方法は、コンピュータプログラムで作成可能である。前記プログラムを構成するコード及びコードセグメントは当分野のコンピュータプログラマーによって容易に推論されうる。また、前記プログラムは、コンピュータが読出しうる情報記録媒体に保存され、コンピュータによって読出されて実行されることによって、再生方法を具現する。前記情報記録媒体は、磁気記録媒体、光記録媒体、及びキャリアウェーブ媒体を含む。
【図面の簡単な説明】
【００５８】
【図１】フレームレートがｎであるプログレシブビデオデータフォーマットを示す図である。
【図２】フレームレートがｎ、フィールドレートが２ｎであるインターレースビデオフォーマットを示す図である。
【図３】本発明の一実施形態によって情報記録媒体に保存されるビデオデータフォーマットを示す図である。
【図４】図３の実施形態でビデオデータをディスプレイ装置から出力するためにビデオフォーマットを変換する過程の一例を説明する図である。
【図５Ａ】図３の実施形態でプログレシブビデオをインターレースビデオに変換する一例を説明する図である。
【図５Ｂ】図３の実施形態でインターレースビデオをプログレシブビデオに変換する一例を説明する図である。
【図６】図３の実施形態で３：２プルダウン過程を説明する図である。
【図７】図３の実施形態でビデオデータをディスプレイ装置から出力するためにビデオフォーマットを変換する過程の他の例を説明する図である。
【図８】ビデオソースフォーマットタイプ情報を含むデータ構造を示す図である。
【図９】本発明の一実施形態による再生装置を示すブロック図である。
【図１】
2007518297.tif 000003
【図２】
2007518297.tif 000004
【図３】
2007518297.tif 000005
【図４】
2007518297.tif 000006
【図５Ａ】
2007518297.tif 000007
【図５Ｂ】
2007518297.tif 000008
【図６】
2007518297.tif 000009
【図７】
2007518297.tif 000010
【図８】
2007518297.tif 000011
【図９】
2007518297.tif 000012
【国際調査報告】
2007518297.tif 000013